(57)【要約】【課題】垂直ゲート配線に生じる熱に起因する表示不良を抑制する。【解決手段】表示装置は、複数のゲート配線（１）と、ゲート配線と直交する複数の垂直ゲート配線（７、７Ａ）と、１つのゲート配線と、対応する１つの垂直ゲート配線とを接続する、複数の接続部（８、８Ａ）とを備える。複数の垂直ゲート配線は、表示領域（５０）における第１の辺から延びる。少なくとも第１の辺に最も近く配置されるゲート配線は、対応する垂直ゲート配線（７Ａ）との間で、２箇所以上に配置される複数の接続部（８Ａ）によって接続される。【選択図】図７
2020091345.tif 000002
【特許請求の範囲】
【請求項１】
アレイ基板上の表示領域に配置される、複数のゲート配線と、
前記表示領域に配置され、かつ、前記ゲート配線と直交する複数の垂直ゲート配線と、
１つの前記ゲート配線と、対応する１つの前記垂直ゲート配線とを接続する、複数の接続部とを備え、
複数の前記垂直ゲート配線は、前記表示領域における第１の辺から延び、
少なくとも前記第１の辺に最も近く配置される前記ゲート配線は、対応する前記垂直ゲート配線との間で、２箇所以上に配置される複数の前記接続部によって接続される、
表示装置。
【請求項２】
複数の前記ゲート配線のうちの１つを第１のゲート配線とし、
複数の前記ゲート配線のうちの前記第１のゲート配線とは異なる１つを第２のゲート配線とし、
前記第１のゲート配線は、前記第２のゲート配線よりも前記第１の辺から遠ざかる位置に配置され、
前記第１のゲート配線と対応する前記垂直ゲート配線との間の前記接続部の配置される箇所の数は、前記第２のゲート配線と対応する前記垂直ゲート配線との間の前記接続部の配置される箇所の数以下である、
請求項１に記載の表示装置。
【請求項３】
アレイ基板上の表示領域に配置される、複数の第１のゲート配線と、
前記表示領域に配置され、かつ、前記第１のゲート配線と直交する複数の垂直ゲート配線と、
一部の前記第１のゲート配線と、対応する前記垂直ゲート配線とを接続する、複数の接続部とを備え、
複数の前記垂直ゲート配線は、前記表示領域における第１の辺から延び、
少なくとも前記第１の辺に最も近く配置される前記第１のゲート配線は、前記接続部および前記垂直ゲート配線に接続されない、
表示装置。
【請求項４】
少なくとも前記第１の辺に最も近く配置される前記第１のゲート配線は、前記表示領域における前記第１の辺とは異なる辺である第２の辺において、前記表示領域を平面視において囲む額縁領域に配置される第２のゲート配線に接続される、
請求項３に記載の表示装置。
【請求項５】
アレイ基板上の表示領域に配置される、複数の第１のゲート配線と、
前記表示領域に配置され、前記表示領域における第１の辺から延び、かつ、前記第１のゲート配線と直交する複数の垂直ゲート配線と、
１つの前記第１のゲート配線と、対応する１つの前記垂直ゲート配線とを接続する、複数の接続部と、
前記表示領域を平面視において囲む額縁領域に配置され、かつ、前記第１の辺においてそれぞれの前記垂直ゲート配線と接続される複数の第２のゲート配線とを備え、
前記第１の辺に最も近く配置される前記接続部を第１の接続部とし、
前記第１の接続部に接続される前記垂直ゲート配線を第１の垂直ゲート配線とし、
前記額縁領域に配置され、かつ、少なくとも、前記第１の垂直ゲート配線に接続される前記第２のゲート配線と平面視において重なる導電膜をさらに備える、
表示装置。
【請求項６】
アレイ基板上の表示領域に配置される、複数の第１のゲート配線と、
前記表示領域に配置され、前記表示領域における第１の辺から延び、かつ、前記第１のゲート配線と直交する複数の垂直ゲート配線と、
１つの前記第１のゲート配線と、対応する１つの前記垂直ゲート配線とを接続する、複数の接続部と、
前記表示領域を平面視において囲む額縁領域に配置され、かつ、前記第１の辺においてそれぞれの前記垂直ゲート配線と接続される複数の第２のゲート配線とを備え、
前記第１の辺に最も近く配置される前記接続部を第１の接続部とし、
前記第１の接続部に接続される前記垂直ゲート配線を第１の垂直ゲート配線とし、
少なくとも、前記第１の垂直ゲート配線に接続される前記第２のゲート配線の配線幅は、他の前記第２のゲート配線の配線幅よりも細い、
表示装置。
【請求項７】
アレイ基板上の表示領域に配置される、複数の第１のゲート配線と、
前記表示領域に配置され、前記表示領域における第１の辺から延び、かつ、前記第１のゲート配線と直交する複数の垂直ゲート配線と、
１つの前記第１のゲート配線と、対応する１つの前記垂直ゲート配線とを接続する、複数の接続部と、
前記表示領域を平面視において囲む額縁領域に配置され、かつ、前記第１の辺においてそれぞれの前記垂直ゲート配線と接続される複数の第２のゲート配線とを備え、
前記第１の辺に最も近く配置される前記接続部を第１の接続部とし、
前記第１の接続部に接続される前記垂直ゲート配線を第１の垂直ゲート配線とし、
少なくとも、前記第１の垂直ゲート配線に接続される前記第２のゲート配線は、ジグザグ形状である、
表示装置。
【請求項８】
アレイ基板上の表示領域に配置される、複数のゲート配線と、
前記表示領域に配置され、かつ、前記ゲート配線と直交する複数の垂直ゲート配線と、
１つの前記ゲート配線と、対応する１つの前記垂直ゲート配線とを接続する、複数の接続部と、
それぞれの前記接続部に接続され、かつ、前記垂直ゲート配線と平行に配置される複数の延伸部とを備え、
複数の前記垂直ゲート配線は、前記表示領域における第１の辺から延び、
複数の前記延伸部は、前記表示領域における前記第１の辺とは反対側の辺へ延びる、
表示装置。
【発明の詳細な説明】
【技術分野】
【０００１】
本願明細書に開示される技術は、表示装置に関するものである。
【背景技術】
【０００２】
現在、液晶またはエレクトロルミネッセンスなどの原理を利用する薄型の表示装置は、パーソナルコンピュータのモニター、携帯情報端末機器のモニターまたはテレビなどの用途に広く用いられている。
【０００３】
上記のような表示装置では、画像を構成する画素が２次元に配列される。それぞれの画素は、それぞれの画素に対応して設けられた薄膜トランジスタ（ｔｈｉｎ  ｆｉｌｍ  ｔｒａｎｓｉｓｔｏｒ、すなわち、ＴＦＴ）のＯＮ／ＯＦＦ状態を制御する走査配線（すなわち、ゲート配線）と、画像信号入力用の信号配線（すなわち、ソース配線）とを有する。通常は、それぞれの画素は、ゲート配線とソース配線とが垂直に交差する交点に囲まれて配置される。
【０００４】
さらに、ＴＦＴが配置されるアレイ基板上の表示領域の、平面視における周辺の領域（すなわち、額縁領域）には、ゲート配線とソース配線とドライバＩＣとを接続する引き出し配線、および、引き出し配線からの静電気の侵入を防ぐ静電気防止回路などが設けられている。
【０００５】
近年、表示装置が広く用いられるようになったことによって、表示装置に要求される機能および形態も多様化している。
【０００６】
額縁領域の狭小化は上記のように要求されるもののひとつであり、表示装置のデザインの自由度を向上させることが、額縁領域の狭小化の目的とされている。
【０００７】
ところが、従来の構成の通りに、アレイ基板上の額縁領域に等ピッチのゲート配線を配置する場合、額縁領域の幅は、［（ゲート配線の幅＋ゲート配線間の間隔）×ゲート配線の本数］以上となる。
【０００８】
上記の額縁領域の幅をさらに狭小化するため、たとえば、特許文献１では、表示領域内でソース配線と平行に垂直ゲート配線を配置し、当該垂直ゲート配線を当該垂直ゲート配線に対して垂直に配置されたゲート配線に接続する構成が提案されている。このように構成することによって、（垂直）ゲート配線の引き回しを表示領域内でも行うことができる。
【０００９】
このような構成であれば、従来の構成ではゲート配線が配置されていた左右の額縁領域には、ゲート配線が配置されない。
【００１０】
ここで、上記のような構成では、垂直ゲート配線とゲート配線とを接続部において接続する必要がある。
【００１１】
しかしながら、ゲート信号のＯＮ／ＯＦＦ切り替えの際、垂直ゲート配線には充放電電流が発生する。特に、配線負荷の小さい入力辺付近の接続部には大きな電流が流れる。そのため、接続部の抵抗によってジュール熱が発生する。その結果、当該熱が接続部の材料に熱変性を生じさせ、接続部の開放（ゲートオープン）に起因する表示不良として視認されることとなる。
【先行技術文献】
【特許文献】
【００１２】
【特許文献１】特開２０１４−１１９７４６号公報
【発明の概要】
【発明が解決しようとする課題】
【００１３】
特許文献１には、表示領域内で垂直ゲート配線を引き回す表示装置が開示されているが、このような構成であると、垂直ゲート配線の配線負荷の指標となる、垂直ゲート配線の時定数は、接続部が入力辺に近い位置に形成される垂直ゲート配線と、接続部が入力辺から遠い位置に形成される垂直ゲート配線とで大きく異なる。具体的には、接続部が入力辺に近い位置に形成される垂直ゲート配線の時定数と、接続部が入力辺から遠い位置に形成される垂直ゲート配線の時定数とでは、数千倍から数万倍の差が生じる。
【００１４】
特に、接続部が入力辺に近い位置に形成される垂直ゲート配線で、ゲート信号のＯＮ／ＯＦＦ切り替えの際に発生する充放電電流が大きくなり、ジュール熱に起因して接続部の開放（ゲートオープン）が起こると、表示不良が発生するという問題があった。
【００１５】
本願明細書に開示される技術は、以上に記載されたような問題を解決するためになされたものであり、垂直ゲート配線に生じる熱に起因する表示不良を抑制する技術を提供することを目的とするものである。
【課題を解決するための手段】
【００１６】
本願明細書に開示される技術の第１の態様は、アレイ基板上の表示領域に配置される、複数のゲート配線と、前記表示領域に配置され、かつ、前記ゲート配線と直交する複数の垂直ゲート配線と、１つの前記ゲート配線と、対応する１つの前記垂直ゲート配線とを接続する、複数の接続部とを備え、複数の前記垂直ゲート配線は、前記表示領域における第１の辺から延び、少なくとも前記第１の辺に最も近く配置される前記ゲート配線は、対応する前記垂直ゲート配線との間で、２箇所以上に配置される複数の前記接続部によって接続される。
【００１７】
また、本願明細書に開示される技術の第２の態様は、アレイ基板上の表示領域に配置される、複数の第１のゲート配線と、前記表示領域に配置され、かつ、前記第１のゲート配線と直交する複数の垂直ゲート配線と、一部の前記第１のゲート配線と、対応する前記垂直ゲート配線とを接続する、複数の接続部とを備え、複数の前記垂直ゲート配線は、前記表示領域における第１の辺から延び、少なくとも前記第１の辺に最も近く配置される前記第１のゲート配線は、前記接続部および前記垂直ゲート配線に接続されない。
【００１８】
また、本願明細書に開示される技術の第３の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、前記額縁領域に配置され、かつ、少なくとも、前記第１の垂直ゲート配線に接続される前記第２のゲート配線と平面視において重なる導電膜をさらに備える。
【００１９】
また、本願明細書に開示される技術の第４の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、少なくとも、前記第１の垂直ゲート配線に接続される前記第２のゲート配線の配線幅は、他の前記第２のゲート配線の配線幅よりも細い。
【００２０】
また、本願明細書に開示される技術の第５の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、少なくとも、前記第１の垂直ゲート配線に接続される前記第２のゲート配線は、ジグザグ形状である。
【００２１】
また、本願明細書に開示される技術の第６の態様は、アレイ基板上の表示領域に配置される、複数のゲート配線と、前記表示領域に配置され、かつ、前記ゲート配線と直交する複数の垂直ゲート配線と、１つの前記ゲート配線と、対応する１つの前記垂直ゲート配線とを接続する、複数の接続部と、それぞれの前記接続部に接続され、かつ、前記垂直ゲート配線と平行に配置される複数の延伸部とを備え、複数の前記垂直ゲート配線は、前記表示領域における第１の辺から延び、複数の前記延伸部は、前記表示領域における前記第１の辺とは反対側の辺へ延びる。
【発明の効果】
【００２２】
本願明細書に開示される技術の第１の態様は、アレイ基板上の表示領域に配置される、複数のゲート配線と、前記表示領域に配置され、かつ、前記ゲート配線と直交する複数の垂直ゲート配線と、１つの前記ゲート配線と、対応する１つの前記垂直ゲート配線とを接続する、複数の接続部とを備え、複数の前記垂直ゲート配線は、前記表示領域における第１の辺から延び、少なくとも前記第１の辺に最も近く配置される前記ゲート配線は、対応する前記垂直ゲート配線との間で、２箇所以上に配置される複数の前記接続部によって接続される。このような構成によれば、第１の辺近傍に配置される１つのゲート配線への接続部が２箇所以上設けられることによって、入力される電流が分散される。よって、接続部に入力される充放電電流を抑制することができるため、垂直ゲート配線に生じる熱に起因する表示不良を抑制することができる。
【００２３】
また、本願明細書に開示される技術の第２の態様は、アレイ基板上の表示領域に配置される、複数の第１のゲート配線と、前記表示領域に配置され、かつ、前記第１のゲート配線と直交する複数の垂直ゲート配線と、一部の前記第１のゲート配線と、対応する前記垂直ゲート配線とを接続する、複数の接続部とを備え、複数の前記垂直ゲート配線は、前記表示領域における第１の辺から延び、少なくとも前記第１の辺に最も近く配置される前記第１のゲート配線は、前記接続部および前記垂直ゲート配線に接続されない。このような構成によれば、第１の辺に最も近く配置される第１のゲート配線は、接続部を介さない。したがって、配線負荷が小さいことに起因して接続部に大きな発熱が生じることが防がれる。
【００２４】
また、本願明細書に開示される技術の第３の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、前記額縁領域に配置され、かつ、少なくとも、前記第１の垂直ゲート配線に接続される前記第２のゲート配線と平面視において重なる導電膜をさらに備える。このような構成によれば、導電膜が第２のゲート配線との間で寄生容量が発生させる。そのため、当該寄生容量が、第２のゲート配線、さらには、第２のゲート配線に接続される第１の垂直ゲート配線の配線負荷を増加させる。そうすると、当該配線における発熱を抑えることができる。
【００２５】
また、本願明細書に開示される技術の第４の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、少なくとも、前記第１の垂直ゲート配線に接続される前記第２のゲート配線の配線幅は、他の前記第２のゲート配線の配線幅よりも細い。このような構成によれば、第２のゲート配線の配線抵抗が大きくなる。そのため、当該配線抵抗が、第２のゲート配線に接続される第１の垂直ゲート配線の配線負荷を増加させる。そうすると、当該配線における発熱を抑えることができる。
【００２６】
また、本願明細書に開示される技術の第５の態様は、アレイ基板上の表示領域に配置される、複数の第１のゲート配線と、前記表示領域に配置され、前記表示領域における第１の辺から延び、かつ、前記第１のゲート配線と直交する複数の垂直ゲート配線と、１つの前記第１のゲート配線と、対応する１つの前記垂直ゲート配線とを接続する、複数の接続部と、前記表示領域を平面視において囲む額縁領域に配置され、かつ、前記第１の辺においてそれぞれの前記垂直ゲート配線と接続される複数の第２のゲート配線とを備え、前記第１の辺に最も近く配置される前記接続部を第１の接続部とし、前記第１の接続部に接続される前記垂直ゲート配線を第１の垂直ゲート配線とし、少なくとも、前記第１の垂直ゲート配線に接続される前記第２のゲート配線は、ジグザグ形状である。このような構成によれば、第１の垂直ゲート配線に接続される第２のゲート配線の配線抵抗が増加するため、当該垂直ゲート配線の配線負荷を増加させる。そうすると、当該配線における発熱を抑えることができる。
【００２７】
また、本願明細書に開示される技術の第６の態様は、アレイ基板上の表示領域に配置される、複数のゲート配線と、前記表示領域に配置され、かつ、前記ゲート配線と直交する複数の垂直ゲート配線と、１つの前記ゲート配線と、対応する１つの前記垂直ゲート配線とを接続する、複数の接続部と、それぞれの前記接続部に接続され、かつ、前記垂直ゲート配線と平行に配置される複数の延伸部とを備え、複数の前記垂直ゲート配線は、前記表示領域における第１の辺から延び、複数の前記延伸部は、前記表示領域における前記第１の辺とは反対側の辺へ延びる。このような構成によれば、垂直ゲート配線に接続部を介して接続される延伸部が配線抵抗を有するため、垂直ゲート配線の配線負荷が増加する。そうすると、当該配線における発熱を抑えることができる。
【００２８】
また、本願明細書に開示される技術に関する目的と、特徴と、局面と、利点とは、以下に示される詳細な説明と添付図面とによって、さらに明白となる。
【図面の簡単な説明】
【００２９】
【図１】液晶表示装置における液晶表示パネルの構成の例を模式的に示す平面図である。
【図２】図１に例が示された液晶表示装置における画素の構成の例を模式的に示す平面図である。
【図３】液晶表示装置における液晶表示パネルの構成の他の例を模式的に示す平面図である。
【図４】図３に例が示された液晶表示装置における画素の構成の例を模式的に示す平面図である。
【図５】図３に例が示された液晶表示装置における、液晶表示パネルのゲート信号の電圧値を示す図である。
【図６】図３に例が示された液晶表示装置における、液晶表示パネルのゲート変換部における電流値を示す図である。
【図７】実施の形態に関する液晶表示装置における、液晶表示パネルの構成の例を模式的に示す平面図である。
【図８】図７に例が示された液晶表示装置における画素の構成の例を模式的に示す平面図である。
【図９】実施の形態に関する液晶表示装置における、液晶表示パネルの構成の例を模式的に示す平面図である。
【図１０】実施の形態に関する液晶表示装置における、液晶表示パネルの構成の例を模式的に示す平面図である。
【図１１】実施の形態に関する液晶表示装置における、液晶表示パネルの構成の例を模式的に示す平面図である。
【図１２】ゲートテーパー配線の配線抵抗を大きくする場合の具体的な態様の例を示す模式図である。
【図１３】ゲートテーパー配線の配線抵抗を大きくする場合の具体的な態様の他の例を示す模式図である。
【図１４】実施の形態に関する液晶表示装置における、液晶表示パネルの構成の例を模式的に示す平面図である。
【発明を実施するための形態】
【００３０】
以下、添付される図面を参照しながら実施の形態について説明する。
【００３１】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００３２】
また、以下に示される説明では、同様の構成要素には同じ符号を付して図示し、それらの名称と機能とについても同様のものとする。したがって、それらについての詳細な説明を、重複を避けるために省略する場合がある。
【００３３】
また、以下に記載される説明において、「上」、「下」、「左」、「右」、「側」、「底」、「表」または「裏」などの特定の位置と方向とを意味する用語が用いられる場合があっても、これらの用語は、実施の形態の内容を理解することを容易にするために便宜上用いられるものであり、実際に実施される際の方向とは関係しないものである。
【００３４】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００３５】
以下の実施の形態では、アレイ基板は、たとえば液晶表示装置に用いられる、スイッチングデバイスとしてボトムゲート型ＴＦＴが搭載されるものが示される。しかしながら、アクティブマトリックス駆動が可能な表示装置であれば、上記の液晶表示装置およびボトムゲート型ＴＦＴに限られるものではなく、他の構成であっても適用可能である。
【００３６】
＜第１の実施の形態＞
以下、本実施の形態に関する表示装置について説明する。説明の便宜上、まず、表示装置としての液晶表示装置における、液晶表示パネルの構成および画素の構成について説明する。
【００３７】
＜液晶表示パネルの構成について＞
図１は、液晶表示装置における液晶表示パネルの構成の例を模式的に示す平面図である。
【００３８】
図１に例が示されるように、液晶表示装置１００は、主要部として液晶表示パネル９０などを備える。
【００３９】
液晶表示パネル９０は、アレイ基板１０と対向基板２０とを備える。そして、アレイ基板１０と対向基板２０との間には、液晶が封入される。
【００４０】
アレイ基板１０には、表示領域５０を構成する複数の画素３０がマトリックス状に配置される。表示領域５０は、具体的には、複数のゲート配線１と、ゲート配線１に対して垂直に配線される複数のソース配線２と、ゲート配線１とソース配線２との交点に囲まれるそれぞれの画素３０に対応して配置されるスイッチング素子であるＴＦＴと、コモン電極と、画素電極とを含む構成によって形成される。
【００４１】
対向基板２０は、アレイ基板１０の上面における、平面視において表示領域５０に対応する位置に配置される。対向基板２０においては、カラーフィルターまたはブラックマトリックスなどが形成される。なお、カラーフィルターまたはブラックマトリックスは、アレイ基板１０に形成されてもよい。
【００４２】
液晶表示パネル９０は、平面視において、表示領域５０と、表示領域５０の周辺に形成される額縁領域５５とに大別される。額縁領域５５には、ゲートドライバＩＣ５と、ソースドライバＩＣ６とが実装されている場合がある。図１においては、額縁領域５５のうちの、表示領域５０の右側に位置する部分にゲートドライバＩＣ５が実装され、額縁領域５５のうちの、表示領域５０の下側に位置する部分にソースドライバＩＣ６が実装されている。
【００４３】
表示領域５０における複数のゲート配線１は、額縁領域５５におけるゲートテーパー配線３００を介して、ゲートドライバＩＣ５へと接続される。
【００４４】
なお、ゲートテーパー配線３００の「テーパー」とは、図１において、ゲートドライバＩＣ５と表示領域５０内のゲート配線１とを接続する複数の配線が扇を広げたような形状で配置されていることを示す表現である。
【００４５】
また、本実施の形態においては、額縁領域５５におけるゲート配線をゲートテーパー配線３００と称しているが、額縁領域５５におけるゲート配線の形状はテーパー形状に限定されるものではなく、様々な形状に配線されたゲート配線であってよい。
【００４６】
また、表示領域５０における複数のソース配線２は、額縁領域５５におけるソーステーパー配線２００を介して、ソースドライバＩＣ６へと接続される。
【００４７】
また、液晶表示装置１００においては、液晶表示パネル９０の両側には偏光板または位相差板が、液晶表示パネル９０の表面にはタッチパネルまたは保護板が、それぞれ必要に応じて貼り付けられる。ここで、液晶表示パネル９０の両側とは、アレイ基板１０と対向基板２０とにおいて、互いに対向する面の反対側の面を示す。
【００４８】
また、液晶表示パネル９０には外部回路が接続され、液晶表示パネル９０は、背面光源（すなわち、バックライト）または光学シートとともに筐体内に収められる。
【００４９】
図２は、図１に例が示された液晶表示装置における画素の構成の例を模式的に示す平面図である。
【００５０】
図２に例が示されるように、表示領域におけるそれぞれの画素３０は、直交して配線されるゲート配線１およびソース配線２と、ゲート配線１とソース配線２との交点の近傍に配置されるＴＦＴ３と、ＴＦＴ３のドレイン端子に接続される画素電極４とを備える。
【００５１】
図３は、液晶表示装置における液晶表示パネルの構成の他の例を模式的に示す平面図である。
【００５２】
図３に例が示されるように、液晶表示装置１０１は、主要部として液晶表示パネル９１などを備える。
【００５３】
液晶表示パネル９１は、アレイ基板１１と対向基板２０とを備える。そして、アレイ基板１１と対向基板２０との間には、液晶が封入される。
【００５４】
アレイ基板１１には、表示領域５０を構成する複数の画素３０および複数の画素３１がマトリックス状に配置される。表示領域５０は、具体的には、複数のゲート配線１と、複数のソース配線２と、ゲート配線１とソース配線２との交点に囲まれるそれぞれの画素３０および画素３１に対応して配置されるスイッチング素子であるＴＦＴと、ソース配線２と平行に配線される垂直ゲート配線７と、垂直ゲート配線７とゲート配線１とを接続する接続部８と、コモン電極と、画素電極とを含む構成によって形成される。
【００５５】
それぞれの画素３０は、ゲート配線１とソース配線２とが垂直に交差する交点に囲まれて配置される。また、それぞれの画素３１は、ゲート配線１とソース配線２とが垂直に交差する交点に囲まれ、かつ、それぞれの画素３１において、垂直ゲート配線７と、垂直ゲート配線７とゲート配線１とを接続する接続部８とが備えられる。
【００５６】
液晶表示パネル９１は、平面視において、表示領域５０と、表示領域５０の周辺に形成される額縁領域５５とに大別される。額縁領域５５には、ゲートドライバＩＣ５と、ソースドライバＩＣ６とが実装されている場合がある。図３においては、額縁領域５５のうちの、表示領域５０の下側に位置する部分にゲートドライバＩＣ５が実装され、額縁領域５５のうちの、表示領域５０の下側に位置する部分にソースドライバＩＣ６が実装されている。
【００５７】
表示領域５０における複数の垂直ゲート配線７は、額縁領域５５におけるゲートテーパー配線３００Ａを介して、ゲートドライバＩＣ５へと接続される。
【００５８】
また、表示領域５０における複数のソース配線２は、額縁領域５５におけるソーステーパー配線２００を介して、ソースドライバＩＣ６へと接続される。
【００５９】
図４は、図３に例が示された液晶表示装置における画素の構成の例を模式的に示す平面図である。
【００６０】
図４に例が示されるように、表示領域におけるそれぞれの画素３１は、直交して配線されるゲート配線１およびソース配線２と、ゲート配線１とソース配線２との交点の近傍に配置されるＴＦＴ３と、ＴＦＴ３のドレイン端子に接続される画素電極４Ａと、ソース配線２と平行に配線される垂直ゲート配線７と、垂直ゲート配線７とゲート配線１とを接続する接続部８とを備える。
【００６１】
ここで、図４に例が示された接続部８について検討する。
【００６２】
接続部８にはゲート信号が伝送されるが、接続部８が入力辺近傍に位置する垂直ゲート配線７と、接続部８が反入力辺近傍に位置する垂直ゲート配線７とでは、それぞれの配線負荷が大きく異なる。
【００６３】
ここで、入力辺とは、ゲート信号を出力しているゲートドライバＩＣ５から最も距離が近い側に位置する辺であり、図３であれば、紙面向かって下側の辺５１に対応する。
【００６４】
また、入力辺近傍に位置する接続部８とは、入力辺から延びる垂直ゲート配線７が比較的短い接続部８を指し、反入力辺近傍に位置する接続部８とは、入力辺から延びる垂直ゲート配線７が比較的長い接続部８を指す。
【００６５】
ここで、反入力辺とは、ゲートドライバＩＣ５から最も距離が遠い側に位置する辺であり、図３であれば、紙面向かって上側の、表示領域５０を挟んで辺５１と対向する辺５２に対応する。
【００６６】
例として、解像度ＦＨＤ（１９８０×１０８０）の表示装置について、１画素あたりの垂直ゲート配線７の抵抗をＲｇとし、１画素あたりの垂直ゲート配線７の寄生容量をＣｇとし、垂直ゲート配線７の入力辺から接続部８までの画素数をｎとすると、配線負荷は、信号遅延すなわち時定数τを用いて比較することができる。
【００６７】
ｎ画素目の接続部８までの垂直ゲート配線７の抵抗はｎＲｇであり、ｎ画素目の接続部８までの垂直ゲート配線７の寄生容量はｎＣｇであるため、時定数τは以下の式（１）のように示すことができる。
【００６８】
【数１】
2020091345.tif 000003
【００６９】
したがって、接続部８が入力辺近傍（たとえば、下方の入力辺から１画素目）に位置する垂直ゲート配線７の配線負荷をτｎとし、接続部８が反入力辺近傍（たとえば、下方の入力辺から上方に１０８０画素目）に位置する垂直ゲート配線７の配線負荷をτｆとすると、垂直ゲート配線７の配線負荷の比は、以下の式（２）のように示すことができる。
【００７０】
【数２】
2020091345.tif 000004
【００７１】
上記のように、接続部８が入力辺近傍に位置する垂直ゲート配線７の配線負荷と、接続部８が反入力辺近傍に位置する垂直ゲート配線７の配線負荷とは大きく異なる。配線負荷に大きな差があると、ゲート信号の遅延に大きな差が生じる。
【００７２】
図５は、図３に例が示された液晶表示装置における、液晶表示パネルのゲート信号の電圧値を示す図である。図５において、縦軸は電圧［Ｖ］を示し、横軸は時間を示す。
【００７３】
図５においては、接続部８が入力辺近傍に位置する垂直ゲート配線７に入力されるゲート信号の電圧値が実線で示され、接続部８が反入力辺近傍に位置する垂直ゲート配線７に入力されるゲート信号の電圧値が点線で示される。
【００７４】
電流は、単位時間あたりに流れる電荷量である。そのため、電圧信号の遅延が小さく、かつ、電圧信号の立ち上がりが急峻である場合、すばやく充放電が行われ、結果として電流が大きくなる。
【００７５】
図６は、図３に例が示された液晶表示装置における、液晶表示パネルのゲート変換部（すなわち、ゲート配線と垂直ゲート配線との接続部）における電流値を示す図である。図６において、縦軸は電流［ｍＡ］を示し、横軸は時間を示す。
【００７６】
図６においては、接続部８が入力辺近傍に位置する垂直ゲート配線７における電流値が実線で示され、接続部８が反入力辺近傍に位置する垂直ゲート配線７における電流値が点線で示される。また、図６の横軸（時間の軸）に示されている矢印は、図５の横軸（時間の軸）に示されている矢印と同時刻を示すものである。
【００７７】
図６に示されるように、液晶表示パネル９１の接続部８に流れる電流には、接続部８が入力辺近傍に位置する垂直ゲート配線７と接続部８が反入力辺近傍に位置する垂直ゲート配線７との間で、３ｍＡ程度の差が生じる。また、それぞれの接続部８で瞬間的に発生する熱量の差は５０倍程度となる。
【００７８】
したがって、入力辺近傍に位置する接続部８の、発熱に起因する開放（ゲートオープン）を防ぐためには、入力辺近傍に位置する接続部８に流れる電流を抑制する必要がある。
【００７９】
図７は、本実施の形態に関する液晶表示装置における、液晶表示パネルの構成の例を模式的に示す平面図である。なお、図７においては、図の判別性を高めるために、対向基板の図示が省略されている。
【００８０】
図７に例が示されるように、液晶表示装置１０２は、主要部として液晶表示パネルなどを備える。
【００８１】
液晶表示パネルは、アレイ基板１１と対向基板とを備える。そして、アレイ基板１１と対向基板との間には、液晶が封入される。
【００８２】
アレイ基板１１には、表示領域５０を構成する複数の画素３０、複数の画素３１および少なくとも１つの画素３２がマトリックス状に配置される。表示領域５０は、具体的には、複数のゲート配線１と、複数のソース配線２と、ゲート配線１とソース配線２との交点に囲まれるそれぞれの画素３０、画素３１および画素３２に対応して配置されるスイッチング素子であるＴＦＴと、ソース配線２と平行に配線される複数の垂直ゲート配線７と、ソース配線２と平行に配線される複数の垂直ゲート配線７Ａと、それぞれの垂直ゲート配線７とそれぞれのゲート配線１とを接続する複数の接続部８と、それぞれの垂直ゲート配線７Ａとそれぞれのゲート配線１とを接続する複数の接続部８Ａと、コモン電極と、画素電極とを含む構成によって形成される。
【００８３】
垂直ゲート配線７および垂直ゲート配線７Ａは、表示領域５０における入力辺（すなわち、図７における下辺）から延びる。
【００８４】
上記のうち、垂直ゲート配線７および垂直ゲート配線７Ａは、ゲート配線１と直交する。なお、本明細書における「直交」には、厳密な直交から数°ずれた略直交（すなわち、実質的に直交）も含まれるものとする。同様に、本明細書における「平行」には、厳密な平行から数°ずれた略平行（すなわち、実質的に平行）も含まれるものとする。同様に、本明細書における「垂直」には、厳密な垂直から数°ずれた略垂直（すなわち、実質的に垂直）も含まれるものとする。
【００８５】
表示領域５０における垂直ゲート配線７および垂直ゲート配線７Ａは、額縁領域５５におけるゲートテーパー配線３００Ａを介して、ゲートドライバＩＣ５へと接続される。
【００８６】
また、表示領域５０における複数のソース配線２は、額縁領域５５におけるソーステーパー配線２００を介して、ソースドライバＩＣ６へと接続される。
【００８７】
図７において、垂直ゲート配線７Ａの接続部８Ａは、表示領域５０における入力辺近傍の領域である領域６０にのみ配置される。ここで、図７における２つの垂直ゲート配線７Ａは、入力辺に最も近く配置されるゲート配線１および入力辺に２番目に近く配置されるゲート配線１に、接続部８Ａを介してそれぞれ接続される。
【００８８】
垂直ゲート配線７Ａの接続部８Ａは、１つの垂直ゲート配線７Ａについて２つ以上設けられる。すなわち、垂直ゲート配線７Ａの接続部８Ａは、垂直ゲート配線７Ａとゲート配線１とを２箇所以上で接続する。
【００８９】
ここで、図７においては、垂直ゲート配線７Ａの接続部８Ａは２つの画素に跨って配置されているが、１つの画素に対応する領域内において、２つ以上の接続部８Ａが配置されていてもよい。
【００９０】
図８は、図７に例が示された液晶表示装置における画素の構成の例を模式的に示す平面図である。
【００９１】
図８に例が示されるように、表示領域におけるそれぞれの画素３２は、直交して配線されるゲート配線１およびソース配線２と、ゲート配線１とソース配線２との交点の近傍に配置されるＴＦＴ３と、ＴＦＴ３のドレイン端子に接続される画素電極４Ａと、ソース配線２と平行に配線される垂直ゲート配線７Ａと、垂直ゲート配線７Ａとゲート配線１とを２箇所で接続する接続部８Ａとを備える。
【００９２】
図８においては、垂直ゲート配線７Ａはゲート配線１の近傍で二股に分かれ、分岐後のそれぞれの配線がソース配線２と平行に延びる。そして、それぞれの端部である接続部８Ａが、ゲート配線１と接続されている。
【００９３】
上記のように、垂直ゲート配線７Ａを複数本に分岐させ、かつ、分岐先の複数の接続部８Ａでゲート配線１と接続させることによって、入力される電流が分散される。そのため、それぞれの接続部８Ａに入力される充放電電流を抑制することができる。
【００９４】
また、それぞれの垂直ゲート配線７Ａにおける接続部８Ａの個数については、接続部８Ａが入力辺近傍に位置する垂直ゲート配線７Ａで最も多く、接続部８Ａの位置が入力辺近傍から離れるにつれて、垂直ゲート配線７Ａにおける接続部８Ａの数が徐々に少なくなるように構成されることが望ましい。
【００９５】
すなわち、それぞれのゲート配線１と対応する垂直ゲート配線７Ａとの間の接続部８Ａの個数は、ゲート配線１が入力辺に近づくにつれて、それよりも入力辺から遠い位置のゲート配線１における接続部８Ａの個数と同じか、それよりも多くなる。
【００９６】
特に、入力辺に最も近い位置に接続部８Ａが配置される垂直ゲート配線７Ａでは、大きな発熱が生じる。そのため、入力辺に最も近い垂直ゲート配線７Ａには、少なくとも２個以上の接続部８Ａが形成されていることが望ましい。さらに、入力辺に最も近い垂直ゲート配線７Ａ以外の垂直ゲート配線７Ａにおいては、接続部８Ａが１個のみという場合があってもよい。
【００９７】
ここで、上記の態様の変形例として、２本の垂直ゲート配線をソース配線２と平行に延ばし、分岐させずにそれぞれゲート配線１と接続させる態様も想定することができる。
【００９８】
ただし、図７および図８に例が示された態様であれば、上記の変形例と比べてソース配線２と２本の垂直ゲート配線とが平行に延びる距離を短くすることができるため、開口率または容量結合などの観点で有利である。
【００９９】
＜第２の実施の形態＞
本実施の形態に関する表示装置について説明する。なお、以下の説明においては、以上に記載された実施の形態で説明された構成要素と同様の構成要素については同じ符号を付して図示し、その詳細な説明については適宜省略するものとする。
【０１００】
図９は、本実施の形態に関する液晶表示装置における、液晶表示パネルの構成の例を模式的に示す平面図である。なお、図９においては、図の判別性を高めるために、対向基板の図示が省略されている。
【０１０１】
図９に例が示されるように、液晶表示装置１０３は、主要部として液晶表示パネルなどを備える。
【０１０２】
液晶表示パネルは、アレイ基板１１と対向基板とを備える。そして、アレイ基板１１と対向基板との間には、液晶が封入される。
【０１０３】
アレイ基板１１には、表示領域５０を構成する複数の画素３０および複数の画素３１がマトリックス状に配置される。表示領域５０は、具体的には、複数のゲート配線１と、複数のソース配線２と、ゲート配線１とソース配線２との交点に囲まれるそれぞれの画素３０および画素３１に対応して配置されるスイッチング素子であるＴＦＴと、ソース配線２と平行に配線される複数の垂直ゲート配線７と、それぞれの垂直ゲート配線７とそれぞれのゲート配線１とを接続する複数の接続部８と、コモン電極と、画素電極とを含む構成によって形成される。
【０１０４】
表示領域５０におけるいくつかの垂直ゲート配線７は、額縁領域５５におけるゲートテーパー配線３００Ａを介して、ゲートドライバＩＣ５へと接続される。
【０１０５】
一方で、上記以外の、入力辺近傍に配置されるゲート配線１は、垂直ゲート配線７には接続されず、額縁領域５５におけるゲートテーパー配線３００Ｂを介して、ゲートドライバＩＣ５へと接続される。
【０１０６】
図９においては、入力辺に最も近く配置されるゲート配線１と、入力辺に２番目に近く配置されるゲート配線１とが、ともにゲートテーパー配線３００Ｂを介してゲートドライバＩＣ５へと接続されている。
【０１０７】
また、表示領域５０における複数のソース配線２は、額縁領域５５におけるソーステーパー配線２００を介して、ソースドライバＩＣ６へと接続される。
【０１０８】
ここで、ゲートテーパー配線３００Ｂは、額縁領域５５における入力辺近傍の領域である領域６１に配線される。なお、領域６１は、入力辺とは異なる辺（図９においては、表示領域５０における右辺）に対応する額縁領域５５における領域である。そして、ゲートテーパー配線３００Ｂは、ゲート信号を伝送する。
【０１０９】
なお、入力辺とは異なる辺とは、たとえば、図３に例が示されるような矩形の表示装置であれば、第１の辺と略垂直である紙面向かって左右に配置された２辺（すなわち、図３における辺５３および辺５４）と、反入力辺（すなわち、図３における辺５２）との３辺を指す。
【０１１０】
ここで、ゲートテーパー配線３００Ｂは、接続部８および垂直ゲート配線７を介さずにゲート配線１とゲートドライバＩＣ５とを電気的に接続する配線である。具体的には、ゲートテーパー配線３００Ｂは、ゲート配線１と同時に一体として形成される配線である。
【０１１１】
入力辺近傍、特に、入力辺に最も近く位置する接続部８には、大きな発熱が生じる。そのため、少なくとも、入力辺に最も近いゲート配線１には接続部８および垂直ゲート配線７を接続せず、当該ゲート配線１を、領域６１において配線されるゲートテーパー配線３００Ｂを介してゲートドライバＩＣ５に接続することが望ましい。
【０１１２】
さらに、入力辺に最も近いゲート配線１以外のゲート配線１においては、ゲートテーパー配線３００Ｂの代わりに、接続部８および垂直ゲート配線７を介してゲートテーパー配線３００Ａが接続されてよい。
【０１１３】
＜第３の実施の形態＞
本実施の形態に関する表示装置について説明する。なお、以下の説明においては、以上に記載された実施の形態で説明された構成要素と同様の構成要素については同じ符号を付して図示し、その詳細な説明については適宜省略するものとする。
【０１１４】
図１０は、本実施の形態に関する液晶表示装置における、液晶表示パネルの構成の例を模式的に示す平面図である。なお、図１０においては、図の判別性を高めるために、対向基板の図示が省略されている。
【０１１５】
図１０に例が示されるように、液晶表示装置１０４は、主要部として液晶表示パネルなどを備える。
【０１１６】
液晶表示パネルは、アレイ基板１１と対向基板とを備える。そして、アレイ基板１１と対向基板との間には、液晶が封入される。
【０１１７】
アレイ基板１１には、表示領域５０を構成する複数の画素３０および複数の画素３１がマトリックス状に配置される。表示領域５０は、具体的には、複数のゲート配線１と、複数のソース配線２と、ゲート配線１とソース配線２との交点に囲まれるそれぞれの画素３０および画素３１に対応して配置されるスイッチング素子であるＴＦＴと、ソース配線２と平行に配線される複数の垂直ゲート配線７と、それぞれの垂直ゲート配線７とそれぞれのゲート配線１とを接続する複数の接続部８と、コモン電極と、画素電極とを含む構成によって形成される。
【０１１８】
表示領域５０における複数の垂直ゲート配線７のうち、接続部８が入力辺近傍に配置される垂直ゲート配線７以外は、入力辺に対応する額縁領域５５におけるゲートテーパー配線３００Ａを介して、ゲートドライバＩＣ５へと接続される。
【０１１９】
一方で、接続部８が入力辺近傍に配置される垂直ゲート配線７は、入力辺に対応する額縁領域５５におけるゲートテーパー配線３００Ｃを介して、ゲートドライバＩＣ５へと接続される。図１０においては、入力辺の最も近くに配置される接続部８に接続される垂直ゲート配線７と、入力辺の２番目に近くに配置される接続部８に接続される垂直ゲート配線７とが、入力辺に対応する額縁領域５５におけるゲートテーパー配線３００Ｃを介して、ゲートドライバＩＣ５へと接続される。
【０１２０】
また、表示領域５０における複数のソース配線２は、額縁領域５５におけるソーステーパー配線２００を介して、ソースドライバＩＣ６へと接続される。
【０１２１】
また、ゲートテーパー配線３００Ｃと平面視において重なる領域には、酸化インジウムスズ（ｔｉｎ−ｄｏｐｅｄ  ｉｎｄｉｕｍ  ｏｘｉｄｅ、または、ｉｎｄｉｕｍ  ｔｉｎ  ｏｘｉｄｅ、すなわち、ＩＴＯ）などの透明導電膜、または、ＣｕまたはＡｌなどの金属膜である導電膜６２が形成される。導電膜６２が当該領域に形成されることによって、ゲートテーパー配線３００Ｃとの間で寄生容量が発生する。そして、当該寄生容量が配線負荷を増加させる。
【０１２２】
上記の透明導電膜または金属膜とゲートテーパー配線３００Ｃとが重なる面積は、接続部８が入力辺近傍に位置する垂直ゲート配線７に接続されるゲートテーパー配線３００Ｃが最も大きくなるようにし、さらに、対応する接続部８が入力辺近傍から離れるにつれて、上記の透明導電膜または金属膜とゲートテーパー配線３００Ｃとが重なる面積を小さくする構成であることが望ましい。
【０１２３】
たとえば、接続部８が入力辺に最も近く位置する垂直ゲート配線７に接続されるゲートテーパー配線３００Ｃにおいて、少なくとも３０ｐＦ以上の寄生容量が付加されることが望ましい。
【０１２４】
＜第４の実施の形態＞
本実施の形態に関する表示装置について説明する。なお、以下の説明においては、以上に記載された実施の形態で説明された構成要素と同様の構成要素については同じ符号を付して図示し、その詳細な説明については適宜省略するものとする。
【０１２５】
図１１は、本実施の形態に関する液晶表示装置における、液晶表示パネルの構成の例を模式的に示す平面図である。なお、図１１においては、図の判別性を高めるために、対向基板の図示が省略されている。
【０１２６】
図１１に例が示されるように、液晶表示装置１０５は、主要部として液晶表示パネルなどを備える。
【０１２７】
液晶表示パネルは、アレイ基板１１と対向基板とを備える。そして、アレイ基板１１と対向基板との間には、液晶が封入される。
【０１２８】
アレイ基板１１には、表示領域５０を構成する複数の画素３０および複数の画素３１がマトリックス状に配置される。表示領域５０は、具体的には、複数のゲート配線１と、複数のソース配線２と、ゲート配線１とソース配線２との交点に囲まれるそれぞれの画素３０および画素３１に対応して配置されるスイッチング素子であるＴＦＴと、ソース配線２と平行に配線される複数の垂直ゲート配線７と、それぞれの垂直ゲート配線７とそれぞれのゲート配線１とを接続する複数の接続部８と、コモン電極と、画素電極とを含む構成によって形成される。
【０１２９】
表示領域５０における複数の垂直ゲート配線７のうち、接続部８が入力辺近傍に配置される垂直ゲート配線７以外は、額縁領域５５におけるゲートテーパー配線３００Ａを介して、ゲートドライバＩＣ５へと接続される。
【０１３０】
一方で、接続部８が入力辺近傍に配置される垂直ゲート配線７は、額縁領域５５におけるゲートテーパー配線３００Ｄを介して、ゲートドライバＩＣ５へと接続される。
【０１３１】
また、表示領域５０における複数のソース配線２は、額縁領域５５におけるソーステーパー配線２００を介して、ソースドライバＩＣ６へと接続される。
【０１３２】
ここで、ゲートテーパー配線３００Ｄは、ゲートテーパー配線３００Ａよりも配線抵抗が大きい。ゲートテーパー配線３００Ｄの配線抵抗が大きいことによって、ゲートテーパー配線３００Ｄに接続される垂直ゲート配線７の配線負荷が増加する。
【０１３３】
ゲートテーパー配線３００Ｄの配線抵抗の大きさは、接続部８が入力辺近傍に位置する垂直ゲート配線７に接続されるゲートテーパー配線３００Ｄが最も大きくなるようにし、さらに、対応する接続部８が入力辺近傍から離れるにつれて、配線抵抗を小さくする構成であることが望ましい。
【０１３４】
たとえば、接続部８が入力辺に最も近く位置する垂直ゲート配線７に接続されるゲートテーパー配線３００Ｄにおいて、少なくとも１ｋΩ以上の配線抵抗が付加されることが望ましい。
【０１３５】
図１２は、ゲートテーパー配線の配線抵抗を大きくする場合の具体的な態様の例を示す模式図である。
【０１３６】
図１２においては、ゲートテーパー配線３００Ｄの配線幅Ｂは、ゲートテーパー配線３００Ａの配線幅Ａよりも細い。このように形成することによって、ゲートテーパー配線３００Ｄの配線抵抗が大きくなる。
【０１３７】
たとえば、接続部８が入力辺に最も近く位置する垂直ゲート配線７に接続されるゲートテーパー配線３００Ｄの配線幅Ｂは、少なくとも、ゲートテーパー配線３００Ａの配線幅Ａの３／４以下とすることが望ましい。
【０１３８】
図１３は、ゲートテーパー配線の配線抵抗を大きくする場合の具体的な態様の他の例を示す模式図である。
【０１３９】
図１３においては、ゲートテーパー配線３００Ｄは、ジグザグ形状で配線される。そのため、同じ条件下（たとえば、接続部８の位置が等しく、かつ、同様にゲートドライバＩＣ５に接続される条件下）におけるゲートテーパー配線３００Ａよりも配線長が長い。このように形成することによって、ゲートテーパー配線３００Ｄの配線抵抗が大きくなる。
【０１４０】
たとえば、接続部８が入力辺に最も近く位置する垂直ゲート配線７に接続されるゲートテーパー配線３００Ｄの配線長は、少なくとも、同じ条件下におけるゲートテーパー配線３００Ａの配線長よりも４ｍｍ以上長いことが望ましい。
【０１４１】
＜第５の実施の形態＞
本実施の形態に関する表示装置について説明する。なお、以下の説明においては、以上に記載された実施の形態で説明された構成要素と同様の構成要素については同じ符号を付して図示し、その詳細な説明については適宜省略するものとする。
【０１４２】
図１４は、本実施の形態に関する液晶表示装置における、液晶表示パネルの構成の例を模式的に示す平面図である。なお、図１４においては、図の判別性を高めるために、対向基板の図示が省略されている。
【０１４３】
図１４に例が示されるように、液晶表示装置１０６は、主要部として液晶表示パネルなどを備える。
【０１４４】
液晶表示パネルは、アレイ基板１１と対向基板とを備える。そして、アレイ基板１１と対向基板との間には、液晶が封入される。
【０１４５】
アレイ基板１１には、表示領域５０を構成する複数の画素３０および複数の画素３１がマトリックス状に配置される。表示領域５０は、具体的には、複数のゲート配線１と、複数のソース配線２と、ゲート配線１とソース配線２との交点に囲まれるそれぞれの画素３０および画素３１に対応して配置されるスイッチング素子であるＴＦＴと、ソース配線２と平行に配線される複数の垂直ゲート配線７と、それぞれの垂直ゲート配線７とそれぞれのゲート配線１とを接続する複数の接続部８と、それぞれの垂直ゲート配線７の接続部８から入力辺とは反対側の辺へ延びる複数の延伸部６４と、コモン電極と、画素電極とを含む構成によって形成される。なお、延伸部６４は、接続部８と接続される端部とは反対側の端部において、電気的に開放される。
【０１４６】
ここで、延伸部６４は配線抵抗を有する。そのため、それぞれの垂直ゲート配線７に延伸部６４が設けられることによって、接続部８が入力辺近傍に位置する垂直ゲート配線７を含めて、垂直ゲート配線７の配線負荷が増加する。
【０１４７】
延伸部６４の長さは、接続部８が入力辺近傍に位置する垂直ゲート配線７に設けられる延伸部６４が最も長くなるようにし、さらに、対応する接続部８が入力辺近傍から離れるにつれて、延伸部６４の長さを小さくする構成であることが望ましい。
【０１４８】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【０１４９】
また、当該置き換えは、複数の実施の形態に跨ってなされてもよい。すなわち、異なる実施の形態において例が示されたそれぞれの構成が組み合わされて、同様の効果が生じる場合であってもよい。
【０１５０】
以上に記載された実施の形態によれば、表示装置は、複数のゲート配線１と、複数の垂直ゲート配線７と、複数の垂直ゲート配線７Ａと、複数の接続部８と、複数の接続部８Ａとを備える。複数のゲート配線１は、アレイ基板１１上の表示領域５０に配置される。垂直ゲート配線７および垂直ゲート配線７Ａは、表示領域５０に配置される。また、垂直ゲート配線７および垂直ゲート配線７Ａは、ゲート配線１と直交する。接続部８は、１つのゲート配線１と、対応する１つの垂直ゲート配線７とを接続する。また、接続部８Ａは、１つのゲート配線１と、対応する１つの垂直ゲート配線７Ａとを接続する。ここで、垂直ゲート配線７および垂直ゲート配線７Ａは、表示領域５０における第１の辺から延びる。そして、少なくとも第１の辺に最も近く配置されるゲート配線１は、対応する垂直ゲート配線７Ａとの間で、２箇所以上に配置される複数の接続部８Ａによって接続される。ここで、第１の辺は、たとえば、ゲート信号を入力する入力源が位置する側の辺である入力辺に対応する。
【０１５１】
このような構成によれば、入力辺近傍に配置される１つのゲート配線１への接続部８Ａが２箇所以上設けられることによって、入力される電流が分散される。よって、接続部８Ａに入力される充放電電流を抑制することができるため、垂直ゲート配線７Ａに生じる熱に起因する表示不良を抑制することができる。
【０１５２】
なお、これらの構成以外の本願明細書に例が示される他の構成については適宜省略することができる。すなわち、少なくともこれらの構成を備えていれば、以上に記載された効果を生じさせることができる。
【０１５３】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１５４】
また、以上に記載された実施の形態によれば、複数のゲート配線１のうちの１つを第１のゲート配線とし、複数のゲート配線１のうちの前記第１のゲート配線とは異なる１つを第２のゲート配線とする。ここで、第１のゲート配線は、たとえば、図７における下から３番目に位置するゲート配線１に対応する。また、第２のゲート配線は、たとえば、図７における下から２番目に位置するゲート配線１に対応する。第１のゲート配線は、第２のゲート配線よりも第１の辺から遠ざかる位置に配置される。そして、第１のゲート配線と対応する垂直ゲート配線７（または垂直ゲート配線７Ａ）との間の前記接続部８（または接続部８Ａ）の配置される箇所の数（図７では１箇所）は、前記第２のゲート配線と対応する前記垂直ゲート配線７（または垂直ゲート配線７Ａ）との間の前記接続部８（または接続部８Ａ）の配置される箇所の数（図７では２箇所）以下である。このような構成によれば、入力辺近傍に配置される１つのゲート配線１への接続部８Ａの個数が多くなるため、配線負荷が小さい入力辺近傍の垂直ゲート配線７Ａに入力される電流が分散される。よって、接続部８Ａに入力される充放電電流を抑制することができるため、垂直ゲート配線７Ａに生じる熱に起因する表示不良を抑制することができる。
【０１５５】
また、以上に記載された実施の形態によれば、表示装置は、複数のゲート配線１（第１のゲート配線）と、複数の垂直ゲート配線７と、複数の接続部８とを備える。ゲート配線１は、アレイ基板１１上の表示領域５０に配置される。垂直ゲート配線７は、表示領域５０に配置され、かつ、ゲート配線１と直交する。接続部８は、一部のゲート配線１と、対応する垂直ゲート配線７とを接続する。ここで、複数の垂直ゲート配線７は、表示領域５０における第１の辺から延びる。そして、少なくとも第１の辺に最も近く配置されるゲート配線１は、接続部８および垂直ゲート配線７に接続されない。
【０１５６】
このような構成によれば、入力辺近傍に位置するゲート配線１は、接続部８を介さずにゲートテーパー配線３００Ｂを介してゲートドライバＩＣ５へと接続される。したがって、配線負荷が小さいことに起因して接続部８に大きな発熱が生じることが防がれる。
【０１５７】
また、以上に記載された実施の形態によれば、少なくとも第１の辺に最も近く配置されるゲート配線１は、表示領域５０における第１の辺とは異なる辺である第２の辺において、表示領域５０を平面視において囲む額縁領域５５に配置されるゲートテーパー配線３００Ｂ（第２のゲート配線）に接続される。ここで、第２の辺は、たとえば、表示領域５０における右辺に対応する。このような構成によれば、入力辺近傍に位置するゲート配線１は、接続部８を介さずにゲートテーパー配線３００Ｂを介してゲートドライバＩＣ５へと接続される。したがって、配線負荷が小さいことに起因して接続部８に大きな発熱が生じることが防がれる。また、ゲートテーパー配線３００Ｂが入力辺とは異なる辺においてゲート配線１と接続されるため、ゲートドライバＩＣ５へと接続される配線が長くなる。よって、当該配線の配線負荷が大きくなり、当該配線における発熱を抑えることができる。
【０１５８】
また、以上に記載された実施の形態によれば、表示装置は、複数のゲート配線１と、複数の垂直ゲート配線７と、複数の接続部８と、複数のゲートテーパー配線３００Ａと、複数のゲートテーパー配線３００Ｃと、導電膜６２とを備える。垂直ゲート配線７は、アレイ基板１１上の表示領域５０に配置される。垂直ゲート配線７は、表示領域５０に配置される。また、垂直ゲート配線７は、表示領域５０における第１の辺から延びる。また、垂直ゲート配線７は、ゲート配線１と直交する。接続部８は、１つのゲート配線１と、対応する１つの垂直ゲート配線７とを接続する。ゲートテーパー配線３００Ａおよびゲートテーパー配線３００Ｃは、表示領域５０を平面視において囲む額縁領域５５に配置され、かつ、第１の辺においてそれぞれの垂直ゲート配線７と接続される。ここで、第１の辺に最も近く配置される接続部８を第１の接続部とする。第１の接続部は、たとえば、図１０における入力辺の最も近くに配置される接続部８、すなわち、図１０における１番右端に位置する接続部８に対応する。また、第１の接続部に接続される垂直ゲート配線７を第１の垂直ゲート配線とする。第１の垂直ゲート配線は、たとえば、図１０における入力辺から延びる配線が最も短い垂直ゲート配線７、すなわち、図１０における１番右端に位置する垂直ゲート配線７に対応する。そして、導電膜６２は、額縁領域５５に配置される。また、導電膜６２は、少なくとも、第１の垂直ゲート配線に接続されるゲートテーパー配線３００Ｃと平面視において重なる。
【０１５９】
このような構成によれば、導電膜６２がゲートテーパー配線３００Ｃとの間で寄生容量が発生させる。そのため、当該寄生容量が、ゲートテーパー配線３００Ｃ、さらには、ゲートテーパー配線３００Ｃに接続される垂直ゲート配線７の配線負荷を増加させる。そうすると、当該配線における発熱を抑えることができる。
【０１６０】
また、以上に記載された実施の形態によれば、表示装置は、複数のゲート配線１と、複数の垂直ゲート配線７と、複数の接続部８と、複数のゲートテーパー配線３００Ａと、複数のゲートテーパー配線３００Ｄとを備える。ゲート配線１は、アレイ基板１１上の表示領域５０に配置される。垂直ゲート配線７は、表示領域５０に配置され、表示領域５０における第１の辺から延び、かつ、ゲート配線１と直交する。接続部８は、１つのゲート配線１と、対応する１つの垂直ゲート配線７とを接続する。ゲートテーパー配線３００Ａおよびゲートテーパー配線３００Ｄは、表示領域５０を平面視において囲む額縁領域５５に配置され、かつ、第１の辺においてそれぞれの垂直ゲート配線７と接続される。ここで、第１の辺に最も近く配置される接続部８を第１の接続部とする。第１の接続部は、たとえば、図１１における入力辺の最も近くに配置される接続部８、すなわち、図１１における１番右端に位置する接続部８に対応する。また、第１の接続部に接続される垂直ゲート配線７を第１の垂直ゲート配線とする。第１の垂直ゲート配線は、たとえば、図１１における入力辺から延びる配線が最も短い垂直ゲート配線７、すなわち、図１１における１番右端に位置する垂直ゲート配線７に対応する。そして、少なくとも、第１の垂直ゲート配線に接続されるゲートテーパー配線３００Ｄの配線幅は、他のゲートテーパー配線３００Ａの配線幅よりも細い。
【０１６１】
このような構成によれば、ゲートテーパー配線３００Ｄの配線抵抗が大きくなる。そのため、当該配線抵抗が、ゲートテーパー配線３００Ｄに接続される垂直ゲート配線７の配線負荷を増加させる。そうすると、当該配線における発熱を抑えることができる。
【０１６２】
また、以上に記載された実施の形態によれば、表示装置は、複数のゲート配線１と、複数の垂直ゲート配線７と、複数の接続部８と、複数のゲートテーパー配線３００Ａと、複数のゲートテーパー配線３００Ｄとを備える。ゲート配線１は、アレイ基板１１上の表示領域５０に配置される。垂直ゲート配線７は、表示領域５０に配置され、表示領域５０における第１の辺から延び、かつ、ゲート配線１と直交する。接続部８は、１つのゲート配線１と、対応する１つの垂直ゲート配線７とを接続する。ゲートテーパー配線３００Ａおよびゲートテーパー配線３００Ｄは、表示領域５０を平面視において囲む額縁領域５５に配置され、かつ、第１の辺においてそれぞれの垂直ゲート配線７と接続される。ここで、第１の辺に最も近く配置される接続部８を第１の接続部とする。第１の接続部は、たとえば、図１１における入力辺の最も近くに配置される接続部８、すなわち、図１１における１番右端に位置する接続部８に対応する。また、第１の接続部に接続される垂直ゲート配線７を第１の垂直ゲート配線とする。第１の垂直ゲート配線は、たとえば、図１１における入力辺から延びる配線が最も短い垂直ゲート配線７、すなわち、図１１における１番右端に位置する垂直ゲート配線７に対応する。そして、少なくとも、第１の垂直ゲート配線に接続されるゲートテーパー配線３００Ｄは、ジグザグ形状である。
【０１６３】
このような構成によれば、ゲートテーパー配線３００Ｄの配線長が、同じ条件下（たとえば、接続部８の位置が等しく、かつ、同様にゲートドライバＩＣ５に接続される条件下）におけるゲートテーパー配線３００Ａよりも配線長が長くなる。そのため、ゲートテーパー配線３００Ｄの配線抵抗が増加し、当該配線抵抗の増加が、ゲートテーパー配線３００Ｄに接続される垂直ゲート配線７の配線負荷を増加させる。そうすると、当該配線における発熱を抑えることができる。
【０１６４】
また、以上に記載された実施の形態によれば、表示装置は、複数のゲート配線１と、複数の垂直ゲート配線７と、複数の接続部８と、複数の延伸部６４とを備える。ゲート配線１は、アレイ基板１１上の表示領域５０に配置される。垂直ゲート配線７は、表示領域５０に配置され、かつ、ゲート配線１と直交する。接続部８は、１つのゲート配線１と、対応する１つの垂直ゲート配線７とを接続する。延伸部６４は、それぞれの接続部８に接続され、かつ、垂直ゲート配線７と平行に配置される。そして、垂直ゲート配線７は、表示領域５０における第１の辺から延びる。また、延伸部６４は、表示領域５０における第１の辺とは反対側の辺へ延びる。
【０１６５】
このような構成によれば、垂直ゲート配線７に接続部８を介して接続される延伸部６４が配線抵抗を有するため、垂直ゲート配線７の配線負荷が増加する。そうすると、当該配線における発熱を抑えることができる。
【０１６６】
＜以上に記載された実施の形態における変形例について＞
本実施の形態は、便宜的に液晶表示装置を用いて実施の形態を説明しているが、実際は広く表示装置全体に適用可能な技術である。
【０１６７】
以上に記載された実施の形態では、それぞれの構成要素の材質、材料、寸法、形状、相対的配置関係または実施の条件などについても記載する場合があるが、これらはすべての局面においてひとつの例であって、本願明細書に記載されたものに限られることはないものとする。
【０１６８】
したがって、例が示されていない無数の変形例、および、均等物が、本願明細書に開示される技術の範囲内において想定される。たとえば、少なくとも１つの構成要素を変形する場合、追加する場合または省略する場合、さらには、少なくとも１つの実施の形態における少なくとも１つの構成要素を抽出し、他の実施の形態の構成要素と組み合わせる場合が含まれるものとする。
【０１６９】
また、矛盾が生じない限り、以上に記載された実施の形態において「１つ」備えられるものとして記載された構成要素は、「１つ以上」備えられていてもよいものとする。
【０１７０】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１７１】
また、以上に記載された実施の形態におけるそれぞれの構成要素には、同一の機能を発揮する限り、他の構造または形状を有する構造物が含まれるものとする。
【０１７２】
また、本願明細書における説明は、本技術に関するすべての目的のために参照され、いずれも、従来技術であると認めるものではない。
【０１７３】
また、以上に記載された実施の形態において、特に指定されずに材料名などが記載された場合は、矛盾が生じない限り、当該材料に他の添加物が含まれた、たとえば、合金などが含まれるものとする。
【符号の説明】
【０１７４】
１  ゲート配線、２  ソース配線、３  ＴＦＴ、４，４Ａ  画素電極、５  ゲートドライバＩＣ、６  ソースドライバＩＣ、７，７Ａ  垂直ゲート配線、８，８Ａ  接続部、１０，１１  アレイ基板、２０  対向基板、３０，３１，３２  画素、５０  表示領域、５１，５２，５３，５４  辺、５５  額縁領域、６０，６１  領域、６２  導電膜、６４  延伸部、９０，９１  液晶表示パネル、１００，１０１，１０２，１０３，１０４，１０５，１０６  液晶表示装置、２００  ソーステーパー配線、３００，３００Ａ，３００Ｂ，３００Ｃ，３００Ｄ  ゲートテーパー配線。
【図１】
2020091345.tif 000005
【図２】
2020091345.tif 000006
【図３】
2020091345.tif 000007
【図４】
2020091345.tif 000008
【図５】
2020091345.tif 000009
【図６】
2020091345.tif 000010
【図７】
2020091345.tif 000011
【図８】
2020091345.tif 000012
【図９】
2020091345.tif 000013
【図１０】
2020091345.tif 000014
【図１１】
2020091345.tif 000015
【図１２】
2020091345.tif 000016
【図１３】
2020091345.tif 000017
【図１４】
2020091345.tif 000018